(57)【要約】【課題】  簡単な構成により表示パネルを保持することで、小型化、及び、コストの削減を可能とする携帯機器を提供する。【解決手段】  液晶パネル３４は、枠部６２に嵌め込まれるようにして、表示窓３６の背後に配置される。液晶パネル３４の背後には、基板３８が配置される。後カバー１４には、ネジ受け部５６が形成されており、基板３８は、ネジ受け部５６にネジ止めされる。このように、基板３８が後カバー１４に固定されることによって、液晶パネル３４は、基板３８と後カバー１４とによって前後から挟み込まれて保持される。これにより、液晶パネルの保持を行う専用の部材を設ける必要がなく、小型化及びコストの削減が可能となる。【選択図】        図３
2005210407.tif 000002
【特許請求の範囲】
【請求項１】
画像を表示する表示パネルと、電子部品が取り付けられた基板とが筺体内に納められ、前記筺体に形成された表示窓から前記表示パネルを観察する携帯機器において、
前記表示パネルを、前記表示窓と前記基板との間に配置するとともに、
前記基板を前記筺体に固定することによって、前記表示パネルを前記基板と前記筺体との間で挟み込んで保持する保持手段を設けたことを特徴とする携帯機器。
【請求項２】
前記基板と前記筺体との間に、押下されることで前記基板上に取り付けられたスイッチを作動させる操作ボタンを配置して、
前記保持手段は、前記基板を前記筺体に固定することによって、前記表示パネル、及び、前記操作ボタンを、前記基板と前記筺体との間で挟み込んで保持することを特徴とする請求項１記載の携帯機器。
【請求項３】
前記表示パネルの背面側に、前記基板に当接する脚部を形成したことを特徴とする請求項１又は２記載の画像表示装置。
【請求項４】
前記表示パネルと、前記基板との間にスペーサを配置したことを特徴とする請求項１〜３いずれか記載の画像表示装置。
【発明の詳細な説明】
【技術分野】
【０００１】
本発明は、画像を表示する表示パネルと、電子部品が取り付けられた基板とが筺体内に納められ、前記筺体に形成された表示窓から前記表示パネルを観察する携帯機器に関するものである。
【背景技術】
【０００２】
ＬＣＤパネル（液晶パネル）や有機ＥＬパネルなどの表示パネルを備えた各種の携帯機器が知られている。例えば、デジタルカメラでは、多くの機種が液晶パネルを備えており、いわゆるスルー画を表示したり、記録した画像データを再生表示したりするためなどに用いられている。
【０００３】
下記特許文献１には、カメラの筺体に取り付けられる保持枠を備え、この保持枠内に液晶パネルを嵌め込んで固定するようにしたデジタルカメラが記載されている。このデジタルカメラによれば、組み立て時の作業性を向上させるといったことが可能となる。
【０００４】
【特許文献１】特開平１０−３３６４９３号公報
【発明の開示】
【発明が解決しようとする課題】
【０００５】
しかしながら、上記特許文献記載のデジタルカメラは、保持枠を設ける分大型化したり、コストが高くなってしまうといった問題がある。
【０００６】
本発明は、上記問題を解決するために、簡単な構成により表示パネルを保持することで、小型化、及び、コストの削減を可能とする携帯機器を提供することを目的としている。
【課題を解決するための手段】
【０００７】
上記目的を達成するために、本発明の携帯機器は、表示パネルを、表示窓と基板との間に配置するとともに、基板を筺体に固定することによって、表示パネルを基板と筺体との間で挟み込んで保持する保持手段を設けたことを特徴としている。
【０００８】
前記基板と前記筺体との間に、押下されることで前記基板上に取り付けられたスイッチを作動させる操作ボタンを配置して、前記保持手段は、前記基板を前記筺体に固定することによって、前記表示パネル、及び、前記操作ボタンを、前記基板と前記筺体との間で挟み込んで保持するものでもよい。また、前記表示パネルの背面側に、前記基板に当接する脚部を形成してもよい。さらに、前記表示パネルと、前記基板との間にスペーサを配置してもよい。
【発明の効果】
【０００９】
本発明のデジタルカメラは、表示パネルを基板と筺体とによって挟み込むように保持するので、表示パネルを保持するための構成部材を減らすことができ、小型化、及び、コストを削減することができる。
【００１０】
また、表示パネルとともに、基板上に配置されたスイッチを作動させるための操作ボタンを、基板と筺体とによって挟み込むように保持することで、より構成部材を減らし、小型化、及び、コストを削減することができる。さらに、表示パネルの背面側に基板に当接する脚部を設けたり、表示パネルと基板との間にスペーサを配置することにより、基板が表示パネルを傷つけることを防止できるとともに、表示パネルを確実に保持できる。
【発明を実施するための最良の形態】
【００１１】
本発明をデジタルカメラに適用した場合について、以下説明を行う。図１および図２において、デジタルカメラ１０の外装は、前面と上下左右の一部を覆う略箱状の前カバー１２と、背面と上下左右の一部を覆う略箱状の後カバー１４とからなる。デジタルカメラ１０の前面には、撮影レンズ１６を保持するレンズ鏡胴１８が組み込まれている他、ストロボ発光部２０などが露呈している。デジタルカメラ１０の側面には、メモリカードが着脱自在に装填されるメモリカードスロットを覆う蓋２２が設けられている。
【００１２】
デジタルカメラ１０の上面には、シャッタボタン２４が設けられている。シャッタボタン２４は、２段階押しのスイッチとなっており、撮影モード中に、シャッタボタン２４を軽く押圧（半押し）すると、被写体照度に応じてストロボ充電がなされたり、自動露光調整（ＡＥ）、自動焦点調整（ＡＦ）などの各種撮影準備処理が行われる。この状態でシャッタボタン２４をもう１度強く押圧（全押し）すると、本撮影が行われて、１画面分の撮像信号が画像データに変換された後、各種画像処理および圧縮処理が施され、メモリカードに記録される。
【００１３】
デジタルカメラ１０の背面からは、操作ボタン３０（図３参照）の操作部３０ａが露呈している。この操作部３０ａを押下すると、背後に配置されたスイッチ３２（図３参照）が作動して、ズーム倍率の変更や、撮影モード、再生モード、各種設定を行うメニューモードの各モードの切り替え、電源のオンオフの切り換えなどの各種操作を行うことができる。
【００１４】
また、デジタルカメラ１０の背面には、液晶表示部が設けられ、後カバー１４に形成された表示窓３６から、液晶パネル３４の画像表示面が露呈している。液晶パネル３４には、撮影モードにおいてはいわゆるスルー画像が表示され、再生モードにおいてはメモリカードに記録済みの画像が表示され、メニューモードにおいては各種メニュー画面が表示される。
【００１５】
図３に示すように、操作ボタン３０、液晶パネル３４は、後カバー１４の内部に配置される。また、後カバー１４の内部には、基板３８が配置されている。操作ボタン３０は複数設けられており、これらはランナー４０によって連結され、ボタンユニット４２として一体に形成されている。ランナー４０には、ボタンユニット４２を後カバー１４に取り付ける際に用いられる位置決め穴４４が設けられている。
【００１６】
液晶パネル３４は、周知のように、液晶素子が封入された液晶板と、表示画像に応じて液晶素子を駆動する液晶駆動部と、液晶板を背後から照明するバックライト装置などからなり、これらがユニット化されている。また、液晶パネル３４の下部には配線４６が設けられており、液晶パネル３４は、配線４６を介して入力される駆動信号によって駆動される。
【００１７】
基板３８の背面には、液晶パネル３４からの配線４６が接続されるコネクタ４８と、図示しないメイン基板からの配線が接続されるコネクタ５０が取り付けられている。メイン基板は、デジタルカメラ１０を統括的な駆動制御を行うＣＰＵを備え、液晶パネル３４を駆動する駆動信号は、メイン基板から送信される。基板３８は、コネクタ４８、５０を介して、この駆動信号の中継を行う。また、基板３８の前面には、各操作ボタン３０に対応する位置に押圧検知式のスイッチ３２が配置され、操作ボタン３０の押下が検知されるようになっている。そして、操作ボタン３０の押下が検知された際には、スイッチ３２からの信号がコネクタ５０を介してメイン基板へ向けて送信される。
【００１８】
基板３８としては、例えば、グラスファイバーなどを織り込んだリジット型のものや、厚手のＦＰＣ（フレキシブルプリント配線板）などが用いられ、ボタンユニット４２、及び、液晶パネル３４の背後に配置される。基板３８は、ボタンユニット４２、及び、液晶パネル３４の背面側を覆うように十分に大きく形成され、４角には後カバー１４に取り付ける際にネジ５２が挿通される開口５４が設けられている。一方、後カバー１４には、開口５４に対応する位置に、円筒形状のネジ受け部５６が形成されており、基板３８は、ネジ受け部５６にネジ止めされる。
【００１９】
基板３８が後カバー１４に取り付けられることにより、ボタンユニット４２は、基板３８と後カバー１４との間に挟み込まれる。後カバー１４には、位置決め穴４４に対応する位置に位置決め突起５８が、操作ボタン３０の操作部３０ａに対応する位置にボタン開口６０がそれぞれ設けられている。ボタンユニット４２は、位置決め穴４４を位置決め用突起５８に挿通させるように配置され位置決めされる。このとき、各操作ボタン３０の操作部３０ａがボタン開口６０から露呈する。そして、図４に示すように、ボタンユニット４２は、この状態で基板３８と後カバー１４とによって前後から挟み込まれて保持される。
【００２０】
また、基板３８が後カバー１４に取り付けられることにより、液晶パネル３４が基板３８と後カバー１４との間に挟み込まれる。後カバー１４には表示窓３６、枠部６２が設けられており、液晶パネル３４は、枠部６２に嵌め込まれるようにして、表示窓３６の背後に配置される。表示窓３６は、液晶パネル３４の画像表示面を露呈させるとともに、液晶パネル３４よりも一回り小さく形成され、液晶パネル３４が後カバー１４の外部へ脱落しないようにしている。枠部６２は、後カバー１４の背面よりも一段低い段付き形状に形成され、液晶パネル３４の上下左右への移動を規制する。そして、図５に示すように、後カバー１４に配置された液晶パネル３４は、基板３８と後カバー１４とによって前後から挟み込まれて保持される。
【００２１】
このように、デジタルカメラ１０は、電子機器において広く用いられる基板と、装置の外観を形成する後カバーとで挟み込むことによって液晶パネルを保持する。このため、液晶パネルの保持を行う専用の部材を設ける必要がなく、小型化及びコストの削減が可能となる。また、基板と後カバーとの間で液晶パネルに加えてスイッチを作動させる操作ボタンも保持するようにしたので、より小型化やコスト削減が可能である。
【００２２】
上記実施形態では、基板にコネクタとスイッチを取り付けた例で説明をしたが、基板に取り付ける電子部品はこれに限定されるものではない。基板には、コネクタやスイッチ以外にも任意の電子部品を取り付けることができる。
【００２３】
また、上記実施形態では、メイン基板とは別に、液晶パネルを背面側から抑える基板を設ける例で説明をしたが、これらを一体に設けるといったことも可能である。さらに、１枚の基板によって、液晶パネルとボタンユニットとを背面側から抑えるようにしたが、複数枚の基板によってこれらを背面側から抑えるようにしてもよい。
【００２４】
この場合、例えば、図６に示すように、配線によって接続された基板６６、６７、６８を設ける。そして、ボタンユニット７２を基板６６、６７、によって抑え、液晶パネル３４を基板６８によって抑えるといったことが考えられる。なお、図６以降の図面においては、前述した実施形態と同様の部材については同様の符号を付して説明を省略する。
【００２５】
また、上記実施形態では、液晶パネルの背面、及び、液晶パネルの背面と対面する基板の前面が両方とも平面となっている例で説明をしたが、例えば、基板の背面側に取り付けられた電子部品のいわゆる足が基板の前面側に突出し、基板の前面側が平面でなくなってしまう場合がある。このような基板によって液晶パネルを押さえつけると、液晶パネルを傷つけてしまうだけでなく、液晶パネルの保持も不安定なものとなってしまう。
【００２６】
このような場合には、図７に示すように、基板３８の平面部分と当接するように、背面側に脚部７３を形成した液晶パネル７４を用いる。こうすることによって、液晶パネルを保護するとともに、確実に保持することができる。また、このような脚部を基板側に設けるといったことも考えられる。さらに、図８に示すように、液晶パネル３４と基板３８との間に、スポンジやゴムなどから形成したスペーサ７６を配置することによっても同様の効果を得ることができる。
【００２７】
なお、上記実施形態では、液晶パネルよりも一回り小さく形成した開口により表示窓を構成する例で説明をしたが、本発明はこれに限定されるものではない。例えば、図９に示すように、後カバー１４に開口を設けて、この開口に透明プレート８４を取り付けることにより表示窓８６を構成してもよい。この場合は、透明プレート８４が液晶パネル３４の画像表示面を抑える。
【００２８】
また、上記実施形態では、基板を後カバーにネジ止めして保持する例で説明をしたが、本発明はこれに限定されるものではない。基板の保持方法としては、例えば、図１０に示すように、基板３８が嵌め込まれることで、これを係止する係止爪９０を後カバー１４に設け、この係止爪９０にによって基板３８を保持するといったことが考えられる。
【００２９】
なお、上記実施形態では、本発明をデジタルカメラに適用する例で説明をしたが、例えば、携帯電話など、デジタルカメラ以外の携帯機器に本発明を適用することも可能である。また、表示パネルとして、液晶パネルを用いる例に説明をしたが、有機ＥＬパネルなど、その他の種類の表示パネルを用いることもできる。
【図面の簡単な説明】
【００３０】
【図１】デジタルカメラの前面側の外観図である。
【図２】デジタルカメラの背面側の外観図である。
【図３】デジタルカメラの後カバー側の分解図である。
【図４】操作ボタンが、基板と後カバーとの間で保持されている様子を表す断面図である。
【図５】液晶パネルが、基板と後カバーとの間で保持されている様子を表す断面図である。
【図６】液晶パネルとボタンユニットとを、別々の基板により抑えるようにした様子を表す分解図である。
【図７】液晶パネルの背面側に脚部を設けた例を表す断面図である。
【図８】液晶パネルと基板との間にスペーサを配置した例を表す断面図である。
【図９】開口と透明プレートとにより表示窓を構成した例を表す断面図である。
【図１０】基板を係止爪により保持するようにした例を表す断面図である。
【符号の説明】
【００３１】
１０    デジタルカメラ
１２    前カバー
１４    後カバー
３０    操作ボタン
３０ａ    操作部
３２    スイッチ
３４、７４    液晶パネル
３６、８６    表示窓
３８、６６、６７、６８    基板
４２、７２    ボタンユニット
５２    ネジ
５４    開口
５６    ネジ受け部
７６    スペーサ
【図１】
2005210407.tif 000003
【図２】
2005210407.tif 000004
【図３】
2005210407.tif 000005
【図４】
2005210407.tif 000006
【図５】
2005210407.tif 000007
【図６】
2005210407.tif 000008
【図７】
2005210407.tif 000009
【図８】
2005210407.tif 000010
【図９】
2005210407.tif 000011
【図１０】
2005210407.tif 000012